(57)【要約】【課題】住宅内の２４時間換気を確実に継続しつつ、消費電力や空調エネルギーのロスの低減を図った換気システムを得ること。【解決手段】換気システムは、屋外温度センサ１０の測定温度が、第１の閾値温度と、第１の閾値温度よりも高い第２の閾値温度との範囲内にある場合に排気用送風機４の運転を停止させ、範囲内にない場合に排気用送風機４を運転させる宅内設備機器集中管理装置１を有し、宅内設備機器集中管理装置１は、排気用送風機４を停止させた際には、サニタリー排気装置７やレンジフードファン１９を運転させ、排気用送風機４を運転する際には、サニタリー排気装置７やレンジフードファン１９を停止させる。【選択図】図１
2016008794.tif 000002
【特許請求の範囲】
【請求項１】
複数の部屋を備えた住宅のいずれかの部屋内に設置され、前記住宅内の空気を継続的に排気する運転が可能な複数の排気装置と、
前記住宅の内部に設置され住宅内から屋外への排気流を形成する排気用送風機と、屋外から住宅内への給気流を形成する給気用送風機と、前記排気流と前記給気流との間で熱交換を行う熱交換素子とを有する熱交換換気装置と、
屋外の空気の温度を測定するセンサと、
前記センサの測定温度が、第１の閾値温度と、該第１の閾値温度よりも高い第２の閾値温度との範囲内にある場合に前記排気用送風機の運転を停止させ、前記センサの測定温度が前記範囲内にない場合に前記排気用送風機を運転させる管理装置と、
を有し、
前記管理装置は、前記排気用送風機を停止させた際には、前記複数の排気装置を運転させ、前記排気用送風機を運転する際には、前記複数の排気装置を停止させることを特徴とする換気システム。
【請求項２】
前記管理装置は、前記複数の排気装置の中から予め選択された排気装置を、前記排気用送風機を停止させた際に運転し、前記排気用送風機を運転する際には前記予め選択された排気装置を停止させることを特徴とする請求項１に記載の換気システム。
【請求項３】
前記管理装置は、携帯端末と無線通信する機能を備え、前記排気用送風機を停止させた時点で、前記複数の排気装置の中から予め排気装置が選択されていない場合には、前記複数の排気装置の運転を促すメッセージを前記携帯端末に通知することを特徴とする請求項２に記載の換気システム。
【請求項４】
前記排気用送風機を停止させた際に運転させる排気装置の選択を、前記携帯端末から行うことを特徴とする請求項３に記載の換気システム。
【発明の詳細な説明】
【技術分野】
【０００１】
本発明は、換気システムに関する。
【背景技術】
【０００２】
建物の換気システムとしては、特許文献１に開示されているものがある。
【０００３】
特許文献１に開示の換気システムは、熱交換しながら換気を行う熱交換換気装置と、トイレや浴室を含むサニタリーゾーンに設置され、室内の空気を継続的に排気する常時換気を実行可能な排気装置とを組み合わせた換気システムである。特許文献１に開示されている換気システムは、熱交換しながら住宅の２４時間換気を行う熱交換換気装置で、冬季など外気温と住宅内の温度との温度差がある場合は、熱交換を行いながら換気することで、冷暖房中の熱損失を少なくしつつ、新鮮な空気を室内に取り入れ、室内の汚れた空気を室外に排出することができる。
【０００４】
一方、春季や秋季といった外気温と住宅内室温との差がほとんどない時期には、冷暖房中の熱損失が少ないため、給気と排気との間の熱交換が不要となる場合がある。また、夏季の夜など涼しい時間帯についても、給気と排気との間の熱交換が不要となる場合がある。
【０００５】
特許文献１に開示の換気システムは、このような時期には、熱交換換気装置の排気用送風機を停止させ、給気用送風機のみを運転させて住宅内の各居室へ熱交換しない新鮮な外気を供給する。住宅の排気は、サニタリーゾーンに設置されている室内の空気を継続的に排気する常時換気を実行可能な排気装置を運転させることで行う。
【０００６】
上記のように、熱交換しながら換気を行う熱交換換気装置と、トイレや浴室を含むサニタリーゾーンに設置され、室内の空気を継続的に排気する常時換気を実行可能な排気装置とを組合せることで、住宅全体の快適な換気を一年中省エネルギーで行うことができる。
【先行技術文献】
【特許文献】
【０００７】
【特許文献１】特開２０１３−１９５００８号公報
【発明の概要】
【発明が解決しようとする課題】
【０００８】
特許文献１に開示されるような熱交換換気システムでは、外気温に応じて使用者が運転状態を切り替えなければならない。春季や秋季は、一日を通じて外気温が低い状態となるため比較的容易に対応可能であるが、夏季の夜間などは、刻々と変わる外気温を常に監視しなければならず、対応が困難な場合がある。
【０００９】
また、熱交換換気装置の排気用送風機のみを停止させ、サニタリーゾーンの排気装置の運転を停止させてしまうと、住宅内の２４時間換気が確実に行われず、換気量不足による問題が生じる可能性がある。
【００１０】
本発明は、上記に鑑みてなされたものであって、住宅内の２４時間換気を確実に継続しつつ、消費電力や空調エネルギーのロスの低減を図った換気システムを得ることを目的とする。
【課題を解決するための手段】
【００１１】
上述した課題を解決し、目的を達成するために、本発明は、複数の部屋を備えた住宅のいずれかの部屋内に設置され、住宅内の空気を継続的に排気する運転が可能な複数の排気装置と、住宅の内部に設置され住宅内から屋外への排気流を形成する排気用送風機と、屋外から住宅内への給気流を形成する給気用送風機と、排気流と給気流との間で熱交換を行う熱交換素子とを有する熱交換換気装置と、屋外の空気の温度を測定するセンサと、センサの測定温度が、第１の閾値温度と、該第１の閾値温度よりも高い第２の閾値温度との範囲内にある場合に排気用送風機の運転を停止させ、センサの測定温度が範囲内にない場合に排気用送風機を運転させる管理装置と、を有し、管理装置は、排気用送風機を停止させた際には、複数の排気装置を運転させ、排気用送風機を運転する際には、複数の排気装置を停止させることを特徴とする。
【発明の効果】
【００１２】
本発明によれば、住宅内の２４時間換気を確実に継続しつつ、消費電力や空調エネルギーのロスの低減を図れるという効果を奏する。
【図面の簡単な説明】
【００１３】
【図１】本発明に係る換気システムの実施の形態の構成図
【図２】宅内設備機器集中管理装置の構成を示すブロック図
【図３】換気システムにおけるネットワークの構成図
【図４】熱交換換気装置を第１のモードで動作させている状態の換気システムを示す構成図
【図５】熱交換換気装置を第２のモードで動作させている状態の換気システムを示す構成図
【図６】遠隔操作機器の換気システムの設定画面の説明図
【図７】換気システムの動作の一例を示すフローチャート
【発明を実施するための形態】
【００１４】
以下に、本発明に係る換気システムの実施の形態を図面に基づいて詳細に説明する。なお、この実施の形態によりこの発明が限定されるものではない。
【００１５】
実施の形態．
図１は、本発明に係る換気システムの実施の形態の構成図である。実施の形態に係る換気システムは、宅内設備機器集中管理装置１、熱交換換気装置３、サニタリー排気装置７、トイレ排気装置８、空調設備９、屋外温度センサ１０、宅内通信回線１１を有する。
【００１６】
熱交換換気装置３は、熱交換素子１８と、排気用送風機４と、給気用送風機５と、操作スイッチ６とを備えている。熱交換換気装置３は、熱交換素子１８を介して排気用送風機４が宅内の空気を取り込んで屋外へ排気するとともに、熱交換素子１８を介して給気用送風機５が屋外の空気を取り込んで宅内の居室へ給気する。ここでの居室とは、各個室やＬＤＫ（リビング・ダイニング・キッチン）である。なお、排気用送風機４と給気用送風機５とは、独立して運転及び停止が可能である。操作スイッチ６は、排気用送風機４や給気用送風機５の運転強度の切替などの操作を行うためのスイッチである。
【００１７】
サニタリー排気装置７は、浴室や洗面所、トイレなどの一部の部屋に吸い込み口７ａが設けられており、吸い込み口７ａから取り込んだ宅内空気を屋外へ排気する。
【００１８】
トイレ排気装置８は、トイレに設けられており、トイレ内の空気を屋外へ排気する。
【００１９】
空調設備９は、設置された室内内の温度を調整する。レンジフードファン１９は、ＬＤＫに設置されており、ＬＤＫ内の空気を屋外へ排気する。
【００２０】
屋外温度センサ１０は、住宅２００の外壁に設置されており、外気温を測定する。
【００２１】
宅内通信回線１１は、熱交換換気装置３、サニタリー排気装置７、空調設備９、屋外温度センサ１０及びレンジフードファン１９の各々を宅内設備機器集中管理装置１と接続する通信回線である。
【００２２】
住宅２００内の各居室やトイレ、浴室等のドアには、アンダーカットやガラリが設けられおり、全居室は連通している。したがって、住宅２００内に運転されている排気装置が１台でもあれば、住宅２００内の全ての部屋の空気は運転されている排気装置によって排気可能である。
【００２３】
住宅２００内には宅内無線通信網１２が形成されている。
【００２４】
住宅２００は、公共無線通信網１３の通信圏内に立地している。
【００２５】
図２は、宅内設備機器集中管理装置の構成を示すブロック図である。宅内設備機器集中管理装置１は、有線通信部１０１、無線通信部１０２、センサ情報取得部１０３、制御部１０４、宅内設備情報記憶部１０５及び設定情報記憶部１０６を有する。
【００２６】
有線通信部１０１は、宅内通信回線１１を介して宅内設備と通信する機能部である。無線通信部１０２は、宅内無線通信網１２や公共無線通信網１３を通じて、後述する遠隔操作機器２と通信する機能部である。なお、宅内無線通信網１２としては、無線ＬＡＮ（Local  Area  Network）を適用可能であり、公衆無線通信網１３としては、携帯電話網を適用可能であるが、これらに限定されることはない。センサ情報取得部１０３は、有線通信部１０１を通じて屋外温度センサ１０から外気温の測定結果を取得する。制御部１０４は、宅内設備機器集中管理装置１の各部を用いて、換気システム全体を制御する。宅内設備情報記憶部１０５は、住宅２００に設置されている宅内設備の一覧情報を記憶する。設定情報記憶部１０６は、制御部１０４が換気システムを制御する上で用いる設定情報を記憶する。なお、設定情報記憶部１０６に記憶される設定情報は、第１及び第２の閾値温度、排気運転停止機能の設定内容、排気運転停止時の通知設定内容及び排気運転停止時に連動する排気装置の設定内容である。第１及び第２の閾値温度は、宅内設備機器集中管理装置１が排気用送風機４の運転及び停止を切り替える制御を行う基準となる温度であり、ユーザにより設定される。第２の閾値温度は第１の閾値温度よりも高い温度に設定される。排気運転停止機能の設定内容、排気運転停止時の通知設定内容及び排気運転停止時に連動する排気装置の設定内容については後述する。
【００２７】
図３は、換気システムにおけるネットワークの構成図である。宅内通信回線１１に接続されている熱交換換気装置３、サニタリー排気装置７、空調設備９、屋外温度センサ１０及びレンジフードファン１９は、それぞれが通信部１４を備えている。このため、熱交換換気装置３、サニタリー排気装置７、空調設備９、屋外温度センサ１０及びレンジフードファン１９は、宅内設備機器集中管理装置１と宅内通信回線１１を通じて通信可能である。
【００２８】
実施の形態に係る換気システムは、熱交換換気装置３を二つのモードで動作可能である。第１のモードは、排気用送風機４及び給気用送風機５の両方を稼働することにより、宅外へ排気する空気と宅内への給気する空気との間の熱交換を熱交換素子１８で行うモードである。第２のモードは、排気用送風機４を停止させ、給気用送風機５のみを稼働することにより、宅外へ排気する空気と宅内への給気する空気との間の熱交換を行わないモードである。
【００２９】
図４は、熱交換換気装置を第１のモードで動作させている状態の換気システムを示す構成図である。排気用送風機４によって宅内から取り込まれた空気は熱交換素子１８を通過した後に屋外へ排気される。また、給気用送風機５によって屋外から取り込まれた空気は熱交換素子１８を通過した後に宅内へ給気される。従って、熱交換素子１８においては、宅外へ排気する空気と宅内への給気する空気との間の熱交換が行われる。熱交換換気装置３を第１のモードで動作させている間は、サニタリー排気装置７やトイレ排気装置８、レンジフードファン１９は、浴室やトイレやキッチンなどの使用後のみ手動で運転され、浴室やトイレ、ＬＤＫなどの空気を屋外へ排気する。
【００３０】
図５は、熱交換換気装置３を第２のモードで動作させている状態の換気システムを示す構成図である。排気用送風機４は停止しており、給気用送風機５のみが稼働しているため、給気用送風機５によって屋外から取り込まれた空気のみが熱交換素子１８を通過する。従って、熱交換素子１８においては、宅外へ排気する空気と宅内へ給気する空気との間の熱交換は行われない。熱交換換気装置３を第２のモードで動作させている間は、熱交換換気装置３とは別に設置された排気装置、すなわちサニタリー排気装置７やトイレ用排気装置８、レンジフードファン１９などを運転することにより、宅内の空気を屋外へ排気する必要がある。
【００３１】
ここで、設定情報記憶部１０６への設定情報の記憶方法について説明する。図６は、遠隔操作機器の換気システムの設定画面の説明図である。遠隔操作機器２は、宅内無線通信網１２や公共無線通信網１３を介して宅内設備機器集中管理装置１と通信可能な電子機器であり、携帯電話端末やスマートフォン端末、タブレット端末、ノート型コンピュータ、ＰＤＡ（personal  digital  assistant）などを適用可能である。遠隔操作機器２に表示される設定画面は、排気運転停止機能設定欄１５、排気運転停止時の通知設定欄１６及び排気運転停止時に連動する排気装置設定欄１７を備えている。
【００３２】
排気運転停止機能設定欄１５は、熱交換換気装置３の排気用送風機４を停止させる機能を使用するか否かの設定を行う欄である。排気運転停止時の通知設定欄１６及び排気運転停止時に連動する排気装置設定欄１７は、排気運転停止機能設定欄１５で排気用送風機４を停止させる機能を使用する設定を行った場合のみ設定可能である。排気運転停止時の通知設定欄１６は、排気用送風機４を停止させた場合に遠隔操作機器２に通知するか否かの設定を行う欄である。排気運転停止時に連動する排気装置設定欄１７は、排気用送風機４を停止させた時に運転する排気装置を指定する欄であり、宅内通信回線１１に接続されており、かつ排気機能を有する機器が、機器情報記憶部１２１に記憶されている情報に基づいて一覧表示される。
【００３３】
なお、排気運転停止時の通知設定欄１６で通知を行う設定をした場合には、排気運転停止時に連動する排気装置設定欄１７で排気装置を指定しないことも可能であるが、排気運転停止時の通知設定欄１６で通知を行わない設定をした場合には、排気運転停止時に連動する排気装置設定欄１７での機器の指定は必須である。排気運転停止機能設定欄１５、排気運転停止時の通知設定欄１６及び排気運転停止時に連動する排気装置設定欄１７の設定内容は、設定情報記憶部１０６に記憶される。
【００３４】
図７は、換気システムの動作の一例を示すフローチャートである。制御部１０４は、第１のモードで換気システムを動作させる（ステップＳ１０１）。制御部１０４は、センサ情報取得部１０３が屋外温度センサ１０から取得した測定結果を基に、外気温Ｔが設定情報記憶部１０６に記憶されている第１の閾値温度ＴＬと第２の閾値温度ＴＨとの間の温度であるか否かを判断する（ステップＳ１０２）。外気温Ｔが第１の閾値温度ＴＬと第２の閾値温度ＴＨとの間の温度でなければ（ステップＳ１０２／Ｎｏ）、ステップＳ１０１に戻って第１のモードでの運転を継続する。外気温Ｔが第１の閾値温度ＴＬと第２の閾値温度ＴＨとの間の温度であれば（ステップＳ１０２／Ｙｅｓ）、制御部１０４は、設定情報記憶部１０６に設定されている設定情報を参照し、排気運転停止機能を使用する設定になっているか否かを判断する（ステップＳ１０３）。排気運転停止機能を使用する設定になっていなければ（ステップＳ１０３／Ｎｏ）、ステップＳ１０１に戻って第１のモードでの運転を継続する。排気運転停止機能を使用する設定になっている場合は（ステップＳ１０３／Ｙｅｓ）、制御部１０４は、設定情報記憶部１０６に設定されている設定情報を参照し、排気運転停止時の通知設定がなされているか否かを判断する（ステップＳ１０４）。
【００３５】
排気運転停止時の通知設定がなされていない場合は（ステップＳ１０４／Ｎｏ）、排気運転停止時に連動する排気装置が必ず指定されているため、制御部１０４は指定されている排気装置を運転する（ステップＳ１０５）。排気運転停止時の通知設定がなされている場合は（ステップＳ１０４／Ｙｅｓ）、制御部１０４は設定情報記憶部１０６に設定されている設定情報を参照し、排気運転停止時に連動する排気装置が指定されているか否かを確認する（ステップＳ１０６）。指定されている排気装置があれば（ステップＳ１０６／Ｙｅｓ）、制御部１０４は指定されている排気装置を運転するとともに、指定されている排気装置を停止しないように要求するメッセージを遠隔操作機器２に通知する（ステップＳ１０７）。指定されている排気装置がなければ（ステップＳ１０６／Ｎｏ）、排気装置の運転が必要であることを示すメッセージを遠隔操作機器２に通知する（ステップＳ１０８）。
【００３６】
ステップＳ１０５、ステップＳ１０７又はステップＳ１０８の処理の後、制御部１０４は、排気用送風機４を停止させた状態で熱交換換気装置３を駆動し、換気システムを第２のモードで動作させる（ステップＳ１０９）。
【００３７】
制御部１０４は、センサ情報取得部１０３が屋外温度センサ１０から取得した測定結果を基に、外気温Ｔが設定情報記憶部１０６に記憶されている第１の閾値温度ＴＬと第２の閾値温度ＴＨとの間の温度であるか否かを判断する（ステップＳ１１０）。外気温Ｔが第１の閾値温度ＴＬと第２の閾値温度ＴＨとの間の温度であれば（ステップＳ１１０／Ｙｅｓ）、ステップＳ１０９に戻って第２のモードでの運転を継続する。外気温Ｔが第１の閾値温度ＴＬと第２の閾値温度ＴＨとの間の温度でなければ（ステップＳ１１０／Ｎｏ）、制御部１０４は、設定情報記憶部１０６に設定されている設定情報を参照し、排気運転停止時の通知設定がなされているか否かを判断する（ステップＳ１１１）。
【００３８】
排気運転停止時の通知設定がなされていない場合は（ステップＳ１１１／Ｎｏ）、排気運転停止時に連動する排気装置が必ず指定されているため、制御部１０４は指定されている排気装置を停止させる（ステップＳ１１２）。排気運転停止時の通知設定がなされている場合は（ステップＳ１１１／Ｙｅｓ）、制御部１０４は設定情報記憶部１０６に設定されている設定情報を参照し、排気運転停止時に連動する排気装置が指定されているか否かを確認する（ステップＳ１１３）。指定されている排気装置があれば（ステップＳ１１３／Ｙｅｓ）、制御部１０４は指定されている排気装置を停止させるとともに、指定されている排気装置を停止したことを示すメッセージを遠隔操作機器２に通知する（ステップＳ１１４）。指定されている排気装置がなければ（ステップＳ１１３／Ｎｏ）、排気装置の運転を停止しても良いことを示すメッセージを遠隔操作機器２に通知する（ステップＳ１１５）。
【００３９】
なお、実施の形態に係る換気システムは、熱交換換気装置３を二台有しているため、排気運転停止機能の設定は別々に行うことが可能である。また、一方の熱交換換気装置３の排気用送風機４を停止させた場合に、他方の熱交換換気装置３は給気用送風機５を停止させて、排気用送風機４のみを駆動させることで、排気装置として使用することができる。
【００４０】
実施の形態に係る換気システムは、宅内無線通信網１２や公共無線通信網１３を通じて遠隔操作機器２と通信する機能を持つ無線通信部１０２を備えるとともに、サニタリー排気装置７、熱交換換気装置３、屋外温度センサ１０及びレンジフードファン１９に接続され、屋外温度センサ１０の測定結果に基づいて排気用送風機４の運転及び停止を切り替える制御を行う宅内機器集中管理装置１を有するため、排気用送風機４を停止させた場合には、サニタリー排気装置７やレンジフードファン１９を自動的に運転するか、排気装置の運転を促すメッセージを遠隔操作機器２に通知することができる。このため、住宅２００内の２４時間換気を確実に継続しつつ、消費電力や空調エネルギーのロスの低減を図ることができる。
【００４１】
上記の説明においては、屋外温度センサ１０が測定する外気温に基づいて熱交換換気装置３の動作モードを切り替える場合を例としたが、空調設備９の室外機に設けられている外気温度センサの情報を宅内設備機器集中管理装置１が取得できるようにすれば、屋外温度センサ１０を省略した構成としても、外気温に基づいて熱交換換気装置３の動作モードを切り替えることができる。
【００４２】
また、上記の説明においては、外気温に基づいて熱交換換気装置の動作モードを切り替える場合を例としたが、宅内の温度を測定するセンサを別途設け、宅内の温度と外気温との温度差に基づいて熱交換換気装置の動作モードを切り替えるようにすることも可能である。
【符号の説明】
【００４３】
１  宅内設備機器集中管理装置、２  遠隔操作機器、３  熱交換換気装置、４  排気用送風機、５  給気用送風機、６  操作スイッチ、７  サニタリー排気装置、８  トイレ排気装置、９  空調設備、１０  屋外温度センサ、１１  宅内通信回線、１２  宅内無線通信網、１３  公共無線通信網、１４  通信部、１５  排気運転停止機能設定欄、１６  排気運転停止時の通知設定欄、１７  排気運転停止時に連動する排気装置設定欄、１８  熱交換素子、１９  レンジフードファン、１０１  有線通信部、１０２  無線通信部、１０３  センサ情報取得部、１０４  制御部、１０５  宅内設備情報記憶部、１０６  設定情報記憶部、２００  住宅。
【図１】
2016008794.tif 000003
【図２】
2016008794.tif 000004
【図３】
2016008794.tif 000005
【図４】
2016008794.tif 000006
【図５】
2016008794.tif 000007
【図６】
2016008794.tif 000008
【図７】
2016008794.tif 000009